(57)【特許請求の範囲】
【請求項１】
金属製の複数の球状オモリを連結することなく一列に配列し、全体を伸縮性を持つ材料で形成された本体容器で密着するように覆って密閉し、内部に潤滑剤を注入したことを特徴とする釣り用オモリ。
【請求項２】
前記本体容器の先端側に、合成ゴム製の円錐状キャップを設けたことを特徴とする請求項１に記載の釣り用オモリ。
【請求項３】
前記複数の球状オモリは、それぞれの直径が先端部から後方部にかけて段階的に大きくなるように配列されていることを特徴とする請求項１または２に記載の釣り用オモリ。
【請求項４】
金属製の複数の球状オモリを連結することなく一列に配列し、全体を伸縮性を持つ材料で形成された本体容器で密着するように覆って密閉し、内部に潤滑剤を注入したことを特徴とする漁獲網用オモリ。
【請求項５】
前記複数の球状オモリは、それぞれの直径が、中心部分が最も大きく、かつ、両先端部にかけて段階的に小さくなるように配列されていることを特徴とする請求項４に記載の漁獲網用オモリ。
【発明の詳細な説明】
【０００１】
【産業上の利用分野】
本発明は、釣り用オモリおよび漁獲網用オモリに関するものである。
【０００２】
【従来の技術】
従来のオモリの形状は様々であるが、本体部分は鉛等の一つの塊の硬質なもので、岩と岩のＶ字状の隙間等に入り込んだ場合、非常に高い確率で根掛かりし、オモリ自体、釣り針、仕掛けの紛失、あるいは、網の破損が多発した。それは非常に不経済なことでもあり、海底等に取り残された、オモリ、釣り針、仕掛け、あるいは、網が、環境に悪影響を与えている。
【０００３】
オモリの表面をビニール等で覆って、表面に滑性を持たせて根掛かりを防ぐものも考得られているが、Ｖ字状の鋭角な岩と岩の隙間等にオモリが食い込まれると、オモリ全体が硬質なため、外れる確率は低く、根掛かり率の驚くほどの改善にはつながらない。
【０００４】
釣具自体を工夫して、根掛かりを防ぐことも考えられているが、それは、オモリに様々な付属物をつけることによって根掛かりする箇所を避ける工夫をした釣り用仕掛けで、体積が増え、比重が軽くなることになって、本来の釣り用オモリとしての基本的性能、例えば、水底での安定性を失うというデメリットが発生している。
【０００５】
【発明が解決しようとする課題】
本発明は、比重、体積、表面積等、オモリとしての基本性能をでき得る限り有しながら、しかも、根掛かりをしたオモリを、根掛かりから脱出し易いようにした釣り用オモリおよび漁獲網用オモリを提供することを目的とするものである。
【０００６】
【発明が解決しようとする手段】
本発明は、釣り用オモリにおいて、金属製の複数の球状オモリを連結することなく一列に配列し、全体を伸縮性を持つ材料で形成された本体容器で密着するように覆って密閉し、内部に潤滑剤を注入したことを特徴とするものである。
【０００７】
前記本体容器の先端側に、合成ゴム製の円錐状キャップを設けるようにしてもよい。また、前記複数の球状オモリは、それぞれの直径が先端部から後方部にかけて段階的に大きくなるよう配列してもよい。
【０００８】
また、本発明は、漁獲網用オモリにおいて、金属製の複数の球状オモリを連結することなく一列に配列し、全体を伸縮性を持つ材料で形成された本体容器で密着するように覆って密閉し、内部に潤滑剤を注入したことを特徴とするものである。
【０００９】
前記複数の球状オモリは、それぞれの直径が、中心部分が最も大きく、かつ、両先端部にかけて段階的に小さくなるように配列してもよい。
【００１０】
【発明の実施の形態】
図１は、本発明の釣り用オモリの実施の形態の一例を説明するための断面図である。図中、１は本体容器、２は円錐状キャップ、３は撚り戻し金具、４は糸の輪、５は潤滑剤、６は釣り糸、７は球状オモリである。
【００１１】
鉛や鉄の金属を材料とする複数の球状オモリ７が連結されることなく一列に配列されて、全体が本体容器１で覆われている。本体容器１は、合成ゴム等の伸縮性を有する材料で形成されており、本体容器１の内部には、球状オモリ７と合成ゴム製の本体容器１との摩擦、隣り合う球状オモリ７同士の接点における摩擦を減少させるために、潤滑剤５が注入されている。
【００１２】
釣り用オモリは、理想的には全てが一体型ということであるが、製造コストの観点から実施例として、先端部分の先鋭な円錐状キャップ２と本体容器１に分かれ、本体容器１には、潤滑剤５を注入した上で、球状オモリ７を順に詰め込んでゆく。
【００１３】
先端部の合成ゴム製の円錐状キャップ２内には、根掛かりの一要因である撚り戻し金具３に、糸を通すための丈夫な糸の輪４を配した上で、円錐状キャップ２と接続し、最後に、球状オモリ４が内蔵された本体容器１と接着することで完成とする。
【００１４】
また、本体容器１は、隣り合う球状オモリ７同士の間に凹みができるような密着性、伸縮性を持つ合成ゴムを採用するのがよい。水底での水流による流動性を抑えるためである。
【００１５】
本発明の釣り用オモリが従来の釣り用オモリ異なる点は、根掛かりする原因の視点の違いでもある。それは本来、オモリ自体が最初からすっぽり岩と岩の間に挟まって、根掛かりを起こす場合は少なく、糸に引かれて岩と岩の間に挟まり、そして根掛かりを起こす。いわゆる、オモリより先に釣り糸が根掛かりの原因を作るということである。よって、釣り糸からオモリへの移行部分、いわゆるオモリの先端部分が根掛かりにおいて非常に重要な部分となる。オモリの先端部分はより先鋭であることが望まれる要件であり、また、その先端部分は、硬質か軟質がといえば当然、軟質のほうが、より複雑な変化に対応できるということになる、また、本発明の釣り用オモリでは、合成ゴムの伸縮力を利用するため、先鋭的な合成ゴム製の円錐型形状ということになる。
【００１６】
本発明の釣り用オモリは、単に、合成ゴムの本体容器で、複数に細分化されて配列された球状オモリを覆ったということではなく、本体容器内での摩擦抵抗を減らすために潤滑剤を注入したことである。そして本体容器内での、球状オモリの移動・回転が可能な状態を作り出し、根掛かりした場合に、根掛かりの接触点の合成ゴムを徐々に移動させ、接触点の摩擦力と伸ばされた合成ゴムの収縮力とのバランスを崩すことにより、根掛かりから脱出できる構造とした。
【００１７】
上述したように、本発明は、根掛かりしたオモリをどのようにしたら脱出させられるかという視点から発明したものである。根掛かりの殆どの原因は、岩と岩の間に出来るＶ字状の鋭角の隙間、水底と岩との間にできる横Ｖ字状の鋭角の隙間等にオモリが入り込んだ時に起こると判断し、それからの脱出するため構造を発明したものである。しかも、オモリの比重を従来のものと殆ど変えないままに、また、使用方法も従来と同じまま使用できるということを基本として考えた。そして、従来の鉛や鉄の硬い一つ塊のオモリに対して、より小さな直径の金属でできた球状オモリを段階的に一列に配列し、全てを密着するよう合成ゴムで覆い、全体に伸縮性を持たせ、内部に潤滑剤を注入したものである。
【００１８】
内部に潤滑剤が注入されているのは、その球状オモリと合成ゴム、球状オモリと球状オモリとの摩擦を抑えるためであり、そのことにより合成ゴムの伸縮と、本体容器の内部における球状オモリの移動・回転を可能とし、根掛かりの岩とオモリの接触点の摩擦力を低減させ、摩擦力と合成ゴムの収縮力のバランスを崩すことにより、根掛かりからの脱出を可能なものとした。
【００１９】
例えば、上記Ｖ字状の隙間にオモリの一部が挟まった場合に、図２に示すように、まず、岩とその挟まったオモリの接点は合成ゴムで球面である。その後、釣り糸に引っ張られると、その挟まった球状オモリから前方部分は伸ばされ、その挟まれたオモリが回転しながら最初の接触点から後方に本体容器の内部で移動し、また接触点から後方部には合成ゴムの収縮力が徐々に蓄えられていく。オモリ全体の合成ゴムが伸ばされると同時に、合成ゴムと岩との接点の合成ゴムも伸ばされ薄くなり、さらに接触点が移動していく。そして、後方部に蓄えられた合成ゴムの収縮力と根掛かりの接点との摩擦力のバランスが崩れ、上方向に脱出することが可能となる。
【００２０】
図３は、本発明の漁獲網用オモリの実施の形態の一例を説明するための断面図である。図中、図１と同様の部分には同じ符号を付して説明を省略する。漁獲網用オモリの不可欠の構成は、釣り用オモリと同様に、金属製の複数の球状オモリを連結することなく一列に配列し、全体を伸縮性を持つ材料で形成された本体容器で密着するように覆って密閉し、内部に潤滑剤を注入した構造であるが、オモリ全体の形状として、図３に示すように、１列に配列されたオモリは、中心部が最大直径の球状オモリとし、両先端部にかけて直径が段階的に小さくなるように配列されるようにするのが好ましい。
【００２１】
【発明の効果】
本発明によれば、根掛りを脱出し、オモリの回収率を大幅に向上させることにより、非常に経済的であり、環境にもやさしい釣り用オモリおよび漁獲網用オモリを提供することができる。また、従来のオモリと比較して、投げる時には同重量であるが、水中から引き寄せる際には、合成ゴム等が水に濡れることにより、表面の潤滑性が生まれ、水底との抵抗を減らし、より楽に引き寄せられ、糸への負担も低減できるという効果がある。
【図面の簡単な説明】
【図１】本発明の釣り用オモリの一実施例の断面図である。
【図２】根掛かりを脱出する作用の説明図である。
【図３】本発明の漁獲網用オモリの一実施例の断面図である。
【符号の説明】
１…本体容器、２…円錐状キャップ、３…撚り戻し金具、４…糸の輪、５…潤滑剤、６…釣り糸、７…球状オモリ。
【図１】
0003625454.tif 000002
【図２】
0003625454.tif 000003
【図３】
0003625454.tif 000004